(57)【特許請求の範囲】
【請求項１】
複数のうち任意のグラフ要素を選択するグラフ要素選択手段と、
任意の派生データの種別を選択する派生データ種別選択手段と、
派生データの算出用又は調整用のいずれかのユーザインターフェースを表示するユーザインターフェース表示手段と、を備え、
前記グラフ要素選択手段が特定のグラフ要素を任意の時期に選択することができ、かつ、該グラフ要素の選択が行われた際に、コンピュータにより派生データが計算可能なのか否かの判断を行い、
（ａ）計算可能な場合は派生データ算出用ユーザインターフェースを表示すると共に必要に応じた算出パラメータの入力を受けて派生データの算出計算・表示を実行し、
（ｂ）計算不可能な場合は派生データ調整用ユーザインターフェースを表示して当該派生データの表示を調整可能とし、
一連の処理を実行する際に、対象とするグラフ要素の選択、派生データの計算モードと調整モードの相互移行を自由に実行できるようにしたことを特徴とする派生データ表示調整システム。
【請求項２】
グラフ要素が選択されたときは、コンピュータが設定されている状況において実行可能な処理に対応したユーザインターフェースが表示される請求項１に記載の派生データ表示調整システム。
【請求項３】
グラフ要素がデータ曲線であったときはカーソルが派生データ算出用ユーザインタフェースとして表示される請求項２に記載の派生データ表示調整システム。
【請求項４】
グラフ要素が派生データ表示であったときは移動可能な派生データ表示領域が派生データ調整用ユーザインタフェースとして表示される請求項２に記載の派生データ表示調整システム。
【発明の詳細な説明】
【０００１】
【発明の属する技術分野】
本発明は、コンピュータに蓄積された複数のデータをグラフ表示すると共にその派生データの算出をし、データを表示するにあたって、その画像要素が画面上で重ならないようにするなど、分析結果を明示する表示画像を調整するシステムに関する。
【０００２】
【従来の技術】
分析機器で得られた検出データをコンピュータに蓄積し、データをディスプレイ上に表示したり、加工したりして分析結果を最終的に報告書の体裁にコンピュータ上の作業として実行することは周知慣用されているところである。物理分析の一分野である熱分析においても、検出データをコンピュータに入力蓄積し、ディスプレイ上にグラフ表示させて検出結果を把握し解析したり、該データからの派生データを計算してグラフ表示することが日常の作業として行われている。すなわち、各検出器と、コンピュータとはデータ回線で接続され、該コンピュータ内には熱分析のデータ処理用のプログラムがメモリに準備されていて、検出データから計算される各種派生データを演算したり統計処理する演算機能や、取得された各種データをディスプレイに表示する機能など備えていて、検出手段からコンピュータ並びにその周辺機器までの全体システムが分析装置を構成するようになっている。
【０００３】
さて、熱分析の代表的な測定技法である示差走査熱量計（ＤＳＣ）は、試料の融解、ガラス転移、熱履歴、結晶化、硬化反応、キュリー点、酸化安定性、熱変性などの分析に広く採用されている。派生データの計算とそのグラフ表示についてJIS K 7121に規定されるプラスチックの補外融解開始温度をＤＳＣ曲線から求める手法を例にして説明する。補外融解開始温度はＤＳＣ曲線の低温側安定領域の接線と、曲線の低温側の最大勾配付近の接線との交点に対応する温度として求められる。図４のＡに示すようなＤＳＣ曲線が表示れるとき、変曲点を挟んだ両側の安定領域の点（×印）をユーザが画面上で判定して特定させるとコンピュータがその点における接線を演算して表示すると共に、二本の接線が交わる点のＸ軸座標値すなわち温度値を該交点近傍に数値表示させるものは周知であり、広く利用されているところである。分析装置を用いてこの派生データをディスプレイ上にグラフ表示をさせ、報告書のグラフとして見栄えよく調整して仕上げる際には、ユーザがコンピュータに指定しなければならない以下のような作業がある。
▲１▼  複数の異なる種類の派生データの内何れの派生データを求めるのか？
▲２▼  複数のデータの内何れのデータの派生データを求めるのか？（分析では比較のため複数のデータを重畳表示することが慣行されている。図４のＢ参照）
▲３▼  算出範囲や算出点など派生データを計算するために必要なパラメータの特定。
▲４▼  派生データの微調整や派生データと算出元データが画面上で重なり表示されることの解消など、派生データの算出後の調整。
【０００４】
ところで、従来の派生データのデータ算出用ユーザインターフェースでは、派生データの算出と派生データの調整の内どちらを行うかを何らかの方法で選択してから、その後その対象を指定（どの算出元データまたはどの派生データ）した上でその後の操作（派生データ算出または派生データ調整）を行っていた。
派生データの算出と調整の選択方法にはいくつか方法がある。
（Ａ）メニューなど選択画面を表示してユーザに計算か調整かを明示的に指定させる方法。
（Ｂ）通常は調整モードとし、計算を行うときにはその指定をさせる方法。
例えば（Ｂ）方式の場合において、ＤＳＣの補外融解開始温度計算を行い、その補外融解開婚温度計算の結果がＤＳＣ曲線に重なって見難い表示となったときに、それを解消するために補外融解開始温度計算結果の表示を位置調整する場合には図５に示す手順を行っていた。
（１）ユーザが算出元となるＤＳＣ曲線上にポイントを移動させてクリックする。（これが算出元データを指定することになる。）[ステップ１]
（２）ユーザがメニューで補外温度計算を選択する。（これが計算する派生データ種別を指定することになり、このとき分析装置が計算を受けつける状態となる。）[ステップ２]
（３）分析装置が（１）で指定されたＤＳＣ曲線上の点を指定するＸ−Ｙ方向のカーソルを表示する。（計算用インターフェースが表示されたことになる。）[ステップ３]
（４）ユーザがカーソルを使ってＤＳＣ曲線上の補外融解開始温度算出元となる２点（Ｘ−Ｙ座標）を指定する。（これが派生データを算出するために必要なパラメータを指定することになる。）[ステップ４]
（５）以上の指定を受けると分析装置が派生データの算出を実行し、計算結果を接線の交点近傍に数値表示する。[ステップ５]
（６）同一ＤＳＣ曲線上で補外結晶開始温度計算など補外融解開始温度計算以外の補外温度計算を引き続き行う場合は、（５）〜（６）を繰り返し、所望の計算が終わったら、ユーザはメニューで計算の終了を指定して計算モードを終了する。これにより分析装置は調整モードに戻る。[ステップ６]
（７）ここで計算された派生データについて調整が必要であるならば[ステップ７]に進むが、もし、必要がないという場合は作業を終了することもできる。
（８）この状態では一般に数値表示された補外融解開始温度等の表示が他のＤＳＣ曲線表示の妨げとなっているため、派生データの調整を行う必要があり、調整モードに入るのであるがこの例では計算モードが指定されたときだけ調整モードに対して優先になっているため、計算モードが終了すると自動的に調整モードとなり調整用のユーザインターフェースが準備される。[ステップ７]
（９）ユーザが数値表示された補外融解開始温度表示にポイントを移動してクリックする。（これが派生データを指定することになる。）[ステップ８]
（10）ユーザが該補外融解開始温度表示をＤＳＣ曲線と重ならないところにドラッグして移動させ、グラフ表示の邪魔にならないようにする。（これが調整パラメータの入力であり[ステップ９]、派生データの算出後の調整[ステップ10]にあたる。）
（11）ここで他の派生データについて調整を行うときは（９）（10）を繰り返し、調整が済んだところで終了となる。
他のＤＳＣ曲線について、補外融解開始温度計算を行う場合はスタートの戻り（１）〜（11）の作業を繰り返す。
【０００５】
分析では、複数のデータについて同種の派生データを作成し比較することが良く行われる。その場合従来技術では、どのデータに対して派生データの算出を行うのかの指定[ステップ１]をまず実行してから派生データ種別の選択[ステップ２]と算出するために必要なパラメータの指定[ステップ４]を行い、他のデータに対して同じ派生データの算出を行う場合にもそのデータに対しての派生データの算出・調整を終了してから改めて他のデータの指定から始め直すこととなる。前述の例では（１）〜（11）の作業をＤＳＣ曲線毎にくりかえすことが必要となるため、多くの曲線の派生データを算出する際にはその度に上記の手順を実行するという手間暇が必要となっている。
【０００６】
【発明が解決しようとする課題】
本発明の課題は、複数データについてのグラフ表示にそのデータの派生データを加えて表示するに際して、データの選択から分析結果を明示する所望グラフ表示の作成まで手間と時間を効率化させ、作業も楽に出来る派生データ表示調整システムを提供することにある。
【０００７】
【課題を解決するための手段】
本発明の派生データ表示調整システムは、分析過程において派生データの算出または派生データの調整が実行されたときには、派生データの算出または派生データの調整を実行したい新たなグラフ要素の選択を可能とし、その際選択されたグラフ要素が計算可能なものであるときは派生データ算出用ユーザインタフェースを表示し、計算不可能なものであるときは派生データ調整用ユーザインターフェースを表示するようにした。
また、分析過程においてグラフ要素が選択指定された時は、その際コンピュータが設定されている状況において該グラフ要素について実行可能な処理を特定し、該当処理を実行するためのユーザインターフェースを表示させるようにした。
【０００８】
【発明の実施の形態】
本発明は、複数のデータについてその派生データを作成し比較したいという場合に、従来方式のようにあるデータについての派生データの計算もしくは調整モードでの作業を開始したらその計算もしくは調整について一連の定型業務を実行して終了しなければ他のモードの処理に移ることができない、しかも当初のステップに戻ってやり直さなければならないという、作業上の制約を緩和し、他のデータに対する派生データの算出や派生データの調整モードへの移行を作業の節目で実行できる小回りがきいて作業がやりやすい派生データ表示調整システムを提供しようとするものである。すなわち、あるデータについての派生データの算出がなされた時点においてグラフ要素の選択を可能とし、その際に選択されたグラフ要素が派生データの算出可能なデータであるか否かを機械が判断し、それが他のデータ曲線であった場合には算出可能なデータであるから、当該データについて派生データの算出を求められていると判断して派生データ算出用のインターフェースを表示するようにし、その際に選択されたグラフ要素が算出された数値表示である場合には算出結果であって算出不可能なグラフ要素であるから、これを調整作業が求められていると機械が判断して派生データ調整用ユーザインタフェースを表示させて調整モードに移行するように構成した。したがって、分析装置の作業としてよく行われる複数のデータについて同種の派生データを作成し比較しようとする場合に、従来方式のようにデータ毎の一連の作業を終了してから当初指定に戻って作業を繰返す必要がなく、作業の途中の節目で他のデータについての派生データの算出や他のモードの作業移ってそれを実行することができるので作業の効率化が計れるのである。
また、本発明はあるデータについての派生データの算出がなされた時点でそのデータについての同種の派生データを算出したいとき、例えば補外融解開始温度を算出した後で同じデータについての補外結晶開始温度の算出など同種の派生データを算出したいときには、表示されているカーソルで接点の指定をする等の派生データ算出用ユーザインターフェースに算出パラメータを改めて入力すれば、即座に計算を実行させることが出来るようにした。このように本発明では、コンピュータの設定状況において選択可能な処理を作業の節目々々で指定して選択することを可能とし、しかもその状況における選択が何を指示するものであるかプロセスの流れの中で判断させるようにしたので、ユーザの負担が軽減され、従来方式に較べて作業効率を著しく高めることができるのである。
【０００９】
本発明に係る派生データ表示調整システムの基本構成を図１に示す。１はコンピュータ本体で２はマウス，キーボード等の入力手段、３はディスプレイである。１のコンピュータ本体内には派生データ種別選択手段４とグラフ要素選択手段５と派生データ算出用ユーザインタフェース６ならびに派生データ算出手段７、派生データ調整用ユーザインタフェース８ならびに派生データ調整手段９が包含されていてる他、図示していない検出器からの分析データを蓄積している分析データ記憶部10と、前記派生データ算出手段７からの算出データと前記派生データ調整手段９からの調整データを記憶する派生データ記憶部11と、前記分析データ記憶部10と前記派生データ記憶部11と前記グラフ要素選択手段５からの信号を受けグラフ表示信号を生成して前記ディスプレイ３に出力するグラフ表示信号生成手段12とを包含している。そしてコンピュータ１が備えているプログラムに従って分析データ記憶部10に蓄積された分析データについてのグラフ表示信号をグラフ表示手段１２で生成してディスプレイ３上にグラフ表示させることができる。
【００１０】
図２のフローチャートを参照しながら本発明の作動を説明する。分析データ記憶部10に蓄積された分析データを特定して表示された分析データのグラフからそのデータの派生データを算出して表示させたいときは、まず画面上の該当データをマウス等の入力手段２でポイント指定するなど（グラフ要素選択手段５）して対象データを特定する。[ステップ１]  次いでメニューを表示させて算出する派生データの種別を入力手段２から指定（派生データ種別選択手段４）する。[ステップ２]  特定されたグラフ要素が派生データ算出可能のものか否か機械が判断し、[ステップ３]  算出可能なものである場合は派生データ算出用ユーザインターフェース６が起動してパラメータ入力画面を表示する。[ステップ４]  派生データ算出用ユーザインターフェース６にこの段階で入力手段２からパラメータの入力がなされると、[ステップ５]  算出可能な状態となるので、派生データ算出手段７が作動して派生データを算出し、算出結果を派生データ記憶部11に記憶する。[ステップ６]  この時点で同一グラフ要素について同一派生データ算出を行うときには、[ステップ４]に戻り再度派生データ算出用ユーザインターフェース６が起動してパラメータ入力画面を表示する。新たに入力手段２から派生データ算出用ユーザインターフェース６にパラメータの入力をすれば[ステップ５][ステップ６]を繰返す。この時点で同一グラフ要素について同一派生データ算出を続けないときには次のステップに進む。[ステップ７]  同一グラフ要素について同一派生データ算出を行わないときには同一派生データ算出を他のデータに対して行うか、または派生データの調整を行うかをユーザが判断し[ステップ８]、それを行う場合には[ステップ９]に進んで新たなグラフ要素選択を行う。[ステップ９]  同一派生データ算出を他のデータに対して行なわず、派生データの調整も行わないときは計算終了を指示して計算モードを終え[ステップ13]、派生データ算出作業を終える。  また、先の[ステップ３]において、選択されたグラフ要素が算出不可能なものであったときは、派生データ調整用ユーザインターフェース８が起動してパラメータ入力画面を表示する。[ステップ10]  派生データ調整用ユーザインターフェース８にこの段階で入力手段２からパラメータの入力がなされると、[ステップ11]  派生データ調整手段９が作動して派生データを調整し、調整結果を派生データ記憶部11に記憶する。[ステップ12]  この時点で同一派生データ算出を他のデータに対して行うか、または派生データの調整を行うかをユーザが判断する先の[ステップ８]に進む。行うときは[ステップ９]に戻り、行わないときは派生データ算出は既に終了しているので[ステップ13]を通過してエンドとなる。
本発明の大きな特徴は、派生データの算出若しくは派生データの調整が行われた節目[ステップ８]において、同一派生データ算出を他のデータに対して行うか、または派生データの調整を行う場合には新たなグラフ要素選択を行うことができる機能[ステップ９]をもたせた点と、グラフ要素選択が行われたときには計算を行うのか調整を行うのかをユーザに選択指示させることなく、それが計算可能なものであるか否かの判断をコンピュータに自判させる機能[ステップ３]を持たせた点にある。なお、派生記憶データ記憶部11に記憶された派生データはグラフ表示手段12に送信されて派生データについての表示信号をグラフ表示手段１２で数値なりの形式としグラフ表示に合成させてディスプレイ３上に表示することができる。
【００１１】
【実施例】
本発明の派生データ表示調整システムの具体例を熱分析装置の一つである示差走査熱量計（ＤＳＣ）によるデータを例にして説明する。このＤＳＣ装置ではデータ毎に図３のＡに示したような特性曲線が得られる。いま、分析装置に複数データについて得たＤＳＣ曲線をディスプレイ上に表示させ、図３のＡのような表示がなされた。この各データについての補外融解開始温度を算出して比較検討したいという要求があり、これを報告書にグラフ表示の形で分かり易く示したい。
▲１▼最初にユーザは算出元となるＤＳＣ曲線をクリックする。これにより複数あるデータの内今計算対象となるデータは図３のＢに矢印で示す曲線であることを特定する。
▲２▼ユーザが画面上のメニューから補外温度計算を選択する。これにより今から行う作業が派生データ算出・調整作業であってその派生データの種別が補外温度計算であることを特定する。
▲３▼分析装置は計算対象となるデータが特定されたことを受け、画面にＸ−Ｙカーソルを表示する。これが派生データ算出用のユーザインタフェースを表示したことに当たる。
▲４▼ユーザはカーソルを操作して補外融解開始温度を算出するための２点を指定する。ここでは検討すべき派生データが補外融解開始温度であるから、選択する２点は谷形のＤＳＣ曲線において低温側曲線の変曲点両側の安定点と最大勾配点であることは自明である。従ってその選択はユーザの操作に任される。これが算出パラメータの入力に当たる。
▲５▼パラメータが特定されると計算が可能となるので、分析装置は２点における接線を引きその交点を表示すると共に、そのＸ座標値である温度を図３のＣのように該交点近傍に数値表示する。これが派生データの算出に当たる。
さて、ここで数値表示された補外融解開始温度は他のデータ曲線に重なって表示されており、グラフを見難いものとしているので他のデータについての補外温度計算を実行する前にこの数値の表示位置を移動させておきたい。
▲６▼本発明ではユーザは他のデータ曲線を選択する前にここで補外融解開始温度の数値表示を画面上で選択することができる。これがグラフ要素の選択に当たる。
▲７▼選択されたグラフ要素が派生データの数値表示であるから分析装置はこれを算出不可能な情報と認識し、調整モードに移行すると共に図４のＤのように数値表示の画像領域を矩形表示する。これが算出可能な判断と調整用ユーザインタフェースの表示に当たる。
▲８▼ユーザが矩形領域をドラッグして図４のＥに示すように数値表示をＤＳＣ曲線と重ならない所望位置に移動させる。これが派生データの調整に当たる。
以上の作業で１つのデータについての派生データの計算と調整が終了したことになる。他のデータについても▲１▼から▲８▼の手順を繰返せばよい。最終的には図３のＦに示すような見易いグラフ表示を作成することが出来る。
なお、上記の手順の中でユーザが操作するものは▲１▼▲２▼▲４▼▲６▼▲８▼であり、▲３▼▲５▼▲７▼は分析装置が作業の流れの中で自動的に実行してくれる作業である。
なお、この実施例では、ＤＳＣの補外融解開始温度を派生データの例として示したが、これ以外にも派生データの種別としては数多くのものがある。例えばＪＩＳ  Ｋ  ７１２１では、融解温度については他に融解ピーク温度と補外融解開始温度の３種類があり、それ以外にもＤＳＣでは結晶化温度やガラス転移温度等が派生データとして求められる。また、熱分析の分野では、ＤＳＣや他に熱重量測定ＴＧや熱機械的測定ＴＭＡなどについて、それぞれ複数のＪＩＳにおいて多数の派生データが利用目的に応じて規定されており、微分演算や積分演算によって得られる１次および２次微分データや積分データも利用されている。公的に規定されていない当事者間における取り決めに従った派生データもあり、ここに記した例だけに止まらずに、これら広範囲の派生データの算出および調整に本発明は適応できる。
【００１２】
【発明の効果】
本発明は、分析装置による分析がなされる過程で派生データの算出または派生データの調整が実行されたときには、派生データの算出または派生データの調整を実行したい新たなグラフ要素の選択を可能とするものであって、その際選択されたグラフ要素が計算可能なものであるときは派生データ算出用ユーザインタフェースが表示され、計算不可能なものであるときは派生データ調整用ユーザインターフェースが表示されるように構成した派生データ表示調整システムであるから、上記した作業の節目において計算モードと調整モードの移行や対象とするデータの選択がグラフ要素を画面上で指定するだけで自由自在に実行できるものである。したがって、従来方式のものに比べ小回りがきいた作業の流れとなり、操作の手間が省力化されユーザの負担を軽減して所望のグラフ表示が容易にしかも速く作成出来るようになる。また、モード移行が簡単にできるので他のデータ表示の妨げとなっている派生データの表示について調整を施した上で他のデータへの派生データ算出作業に入れるため、ユーザへの作業負担（ストレス）をも軽減できる。
【００１３】
更に、本発明では選択されたグラフ要素がデータ曲線であったときはカーソルが、派生データ表示であったときは移動可能な派生データ表示領域が表示されるなど、グラフ要素が選択されたときは、コンピュータが設定されている状況においてそのグラフ要素について実行可能な処理に対応したユーザインターフェースが表示されるようにして、グラフ要素を指定するだけの操作でモードを特定する指令操作を行う手間を省くなど操作者の負担を大幅に軽減している。
【図面の簡単な説明】
【図１】本発明に係る派生データ表示調整システムの基本構成を示す図である。
【図２】本発明の分析装置における作業の流れを示すフローチャートである。
【図３】派生データが補外融解開始温度であった場合のグラフ表示を説明する図であり、Ａは１つのデータについて示したものでＢは複数データが表示されたもの。
【図４】本発明により派生データの算出・調整作業をした場合のグラフ表の変化を、派生データが補外融解開始温度であった場合の例で示したものである。
【図５】従来のグラフ表示調整システムの方式の作業の流れを示すフローチャートである。
【符号の説明】
１  コンピュータ本体            ８  派生データ調整用ユーザインタフェース
２  ポインティングデバイス      ９  派生データ調整手段
３  ディスプレイ                10  分析データ記憶部
４  派生データ種別選択手段      11  派生データ記憶部
５  グラフ要素選択手段          12  グラフ表示手段
６  派生データ算出用ユーザインタフェース
７  派生データ算出手段
【図１】
0004223689.tif 000002
【図２】
0004223689.tif 000003
【図３】
0004223689.tif 000004
【図４】
0004223689.tif 000005
【図５】
0004223689.tif 000006